(57)【要約】【課題】裏面透かしの検出方法及び検出装置を提供する。【解決手段】検出方法は、表面画像の第１の点及びそれに対応する裏面画像の第２の点の画素対を取得し、一部の前景画素及び背景画素を決定し、決定結果に基づいて、４種類の画素対について、所定の特徴に基づいてモデル化し、４つのモデルを形成し、モデル化されていない画素対について、所定の特徴に基づいて、該画素対と４つのモデルとの類似度を計算し、該画素対の種別を決定し、前景画素として決定された第１の点に対応する背景画素として決定された第２の点を裏面画像の裏面透かしとして判定し、前景画素として決定された第２の点に対応する背景画素として決定された第１の点を表面画像の裏面透かしとして判定する。【選択図】図１
2015130166.tif 000002
【特許請求の範囲】
【請求項１】
位置合わせされた両面画像対における表面画像及び裏面画像を取得し、前記表面画像における各第１の点、及び前記裏面画像における前記第１の点に対応する第２の点により構成された画素対を取得するステップと、
前記表面画像及び前記裏面画像における一部の前景画素及び一部の背景画素を決定するステップと、
決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成するステップと、
モデル化されていない画素対について、該画素対の所定の特徴に基づいて、該画素対と前記４つのモデルとの類似度をそれぞれ計算し、該画素対の種別を決定するステップと、
前景画素として決定された第１の点に対応する、背景画素として決定された第２の点を、前記裏面画像における裏面透かしとして判定し、前景画素として決定された第２の点に対応する、背景画素として決定された第１の点を、前記表面画像における裏面透かしとして判定するステップと、を含む、裏面透かしの検出方法。
【請求項２】
前記表面画像及び前記裏面画像における一部の前景画素及び一部の背景画素を決定するステップは、
各第１の点の画素値と所定の第１の前景閾値との大小関係に基づいて、前記表面画像における一部の前景画素を決定するステップと、
各第２の点の画素値と所定の第２の前景閾値との大小関係に基づいて、前記裏面画像における一部の前景画素を決定するステップと、
各第１の点の画素値と所定の第１の背景閾値との大小関係に基づいて、前記表面画像における一部の背景画素を決定するステップと、
各第２の点の画素値と所定の第２の背景閾値との大小関係に基づいて、前記裏面画像における一部の背景画素を決定するステップと、を含む、請求項１に記載の裏面透かしの検出方法。
【請求項３】
前記表面画像及び前記裏面画像における一部の前景画素及び一部の背景画素を決定するステップは、
各第１の点の画素値と対応する第２の点の画素値との大小関係に基づいて、前記表面画像及び前記裏面画像における一部の前景画素及び一部の背景画素を決定するステップを含む、請求項１又は２に記載の裏面透かしの検出方法。
【請求項４】
各第１の点の画素値と対応する第２の点の画素値との大小関係に基づいて、前記表面画像及び前記裏面画像における一部の前景画素及び一部の背景画素を決定するステップは、
前記第１の点の画素値と対応する第２の点の画素値との商を、所定の第３の閾値及び第４の閾値と比較するステップと、
前記商が前記第３の閾値よりも小さい場合、前記第１の点が前記表面画像における前景画素であり、前記第２の点が前記裏面画像における背景画素であると決定するステップと、
前記商が前記第４の閾値よりも大きい場合、前記第２の点が前記裏面画像における前景画素であり、前記第１の点が前記表面画像における背景画素であると決定するステップと、を含み、
前記第３の閾値が１よりも小さく、前記第４の閾値が１よりも大きい、請求項３に記載の裏面透かしの検出方法。
【請求項５】
前記表面画像及び前記裏面画像における候補前景画素を決定するステップをさらに含み、
前記モデル化されていない画素対は、前記候補前景画素のうち、前記一部の前景画素以外の画素が属する画素対を含む、請求項１に記載の裏面透かしの検出方法。
【請求項６】
前記表面画像及び前記裏面画像における候補前景画素を決定するステップは、
前記第１の点の画素値が所定の第１の背景閾値以下である場合、前記第１の点が前記表面画像における候補前景画素であると決定するステップと、
前記第２の点の画素値が所定の第２の背景閾値以下である場合、前記第２の点が前記裏面画像における候補前景画素であると決定するステップと、を含む、請求項５に記載の裏面透かしの検出方法。
【請求項７】
前記モデル化されていない画素対について、該画素対の所定の特徴に基づいて、該画素対と前記４つのモデルとの類似度をそれぞれ計算し、該画素対の種別を決定するステップは、
前記４つのモデルの平均画素値の対及び分散をそれぞれ計算するステップと、
前記４つのモデルの平均画素値の対及び分散、並びに該画素対の画素値に基づいて、該画素対と前記４つのモデルとの距離をそれぞれ計算するステップと、
距離が最も小さいモデルの画素対の種別を前記画素対の種別として決定するステップと、を含む、請求項１に記載の裏面透かしの検出方法。
【請求項８】
前景画素として決定された第１の点を、前記表面画像における前景として判定し、前景画素として決定された第２の点を、前記裏面画像における前景として判定するステップをさらに含む、請求項１に記載の裏面透かしの検出方法。
【請求項９】
位置合わせされた両面画像対における表面画像及び裏面画像を取得し、前記表面画像における各第１の点、及び前記裏面画像における前記第１の点に対応する第２の点により構成された画素対を取得する取得手段と、
前記表面画像及び前記裏面画像における一部の前景画素及び一部の背景画素を決定する一部画素決定手段と、
前記一部画素決定手段の決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成するモデル化手段と、
モデル化されていない画素対について、該画素対の所定の特徴に基づいて、該画素対と前記４つのモデルとの類似度をそれぞれ計算し、該画素対の種別を決定する種別決定手段と、
前景画素として決定された第１の点に対応する、背景画素として決定された第２の点を、前記裏面画像における裏面透かしとして判定し、前景画素として決定された第２の点に対応する、背景画素として決定された第１の点を、前記表面画像における裏面透かしとして判定する判定手段と、を含む、裏面透かしの検出装置。
【請求項１０】
前記表面画像及び前記裏面画像における候補前景画素を決定する候補前景決定手段をさらに含み、
前記モデル化されていない画素対は、前記候補前景画素のうち、前記一部の前景画素以外の画素が属する画素対を含む、請求項９に記載の裏面透かしの検出装置。
【発明の詳細な説明】
【技術分野】
【０００１】
本発明は、一般的に画像処理分野に関する。具体的には、本発明は、表面画像及び裏面画像により構成された両面画像対における裏面透かし画素の位置を検出する方法及び装置に関する。
【背景技術】
【０００２】
表面及び裏面を有する両面文書では、文書に裏面透かしの現象が存在するため、一面から他面の一部又は全部の文字などが透けて見える。この裏面透かしの現象は、文書の可読性や文書の自動的な文字認識に影響を及ぼしてしまう。このため、文書の可読性及び自動的な文字認識の正確率を向上するように、その中の裏面透かし画素を処理する必要がある。
【０００３】
裏面透かし画素への処理の前提は、裏面画素の正確な位置を検出する、即ちどの画素が裏面透かし画素であるかを判断することである。
【０００４】
従来の方法は、適当な閾値を設定し、画素の画素値と閾値とを比較することで、文字と裏透かしとを区別する。この方法は、明らかに大まかな方法である。これは、文字などの前景画素と重度の裏面透かしの場合の裏面透かし画素との差異が小さくて、背景画素と軽度の裏面透かしの場合の裏面透かし画素との差異が小さいからである。このため、従来の方法の処理効果がよくない。
【０００５】
正面画像及び裏面画像により構成された両面画像対における裏面透かし画素の位置を正確に検出できる裏面透かしの検出方法及び裏面透かしの検出装置が求められる。
【発明の概要】
【発明が解決しようとする課題】
【０００６】
以下、本発明の主旨を理解させるため、本発明を簡単に説明する。なお、これらの説明は、本発明を限定するものではない。以下の説明は、本発明の肝心又は重要な部分を決定するものではなく、本発明の範囲を限定することではない。その目的は、その後の詳しい説明の前文として、ある概念を簡単に説明するものに過ぎない。
【０００７】
本発明は、従来技術の上記問題点を鑑みたものであり、裏面透かし画素の位置を正確に検出できる裏面透かしの検出方法及び裏面透かしの検出装置を提供することを目的とする。
【課題を解決するための手段】
【０００８】
上記目的を図るため、本発明の一の態様では、位置合わせされた両面画像対における表面画像及び裏面画像を取得し、前記表面画像における各第１の点、及び前記裏面画像における前記第１の点に対応する第２の点により構成された画素対を取得するステップと、前記表面画像及び前記裏面画像における一部の前景画素及び一部の背景画素を決定するステップと、決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成するステップと、モデル化されていない画素対について、該画素対の所定の特徴に基づいて、該画素対と前記４つのモデルとの類似度をそれぞれ計算し、該画素対の種別を決定するステップと、前景画素として決定された第１の点に対応する、背景画素として決定された第２の点を、前記裏面画像における裏面透かしとして判定し、前景画素として決定された第２の点に対応する、背景画素として決定された第１の点を、前記表面画像における裏面透かしとして判定するステップと、を含む、裏面透かしの検出方法を提供する。
【０００９】
本発明の他の態様では、位置合わせされた両面画像対における表面画像及び裏面画像を取得し、前記表面画像における各第１の点、及び前記裏面画像における前記第１の点に対応する第２の点により構成された画素対を取得する取得手段と、前記表面画像及び前記裏面画像における一部の前景画素及び一部の背景画素を決定する一部画素決定手段と、前記一部画素決定手段の決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成するモデル化手段と、モデル化されていない画素対について、該画素対の所定の特徴に基づいて、該画素対と前記４つのモデルとの類似度をそれぞれ計算し、該画素対の種別を決定する種別決定手段と、前景画素として決定された第１の点に対応する、背景画素として決定された第２の点を、前記裏面画像における裏面透かしとして判定し、前景画素として決定された第２の点に対応する、背景画素として決定された第１の点を、前記表面画像における裏面透かしとして判定する判定手段と、を含む、裏面透かしの検出装置を提供する。
【００１０】
また、本発明の他の態様では、記録媒体をさらに提供する。該記録媒体は、機器が読み取り可能なプログラムコードを含み、情報処理装置において該プログラムコードを実行する際に、該プログラムコードが該情報処理装置に本発明の上記方法を実行させる。
【００１１】
また、本発明の他の態様では、プログラムプロダクトをさらに提供する。該プログラムプロダクトは、機器が実行可能な指令を含み、情報処理装置において該指令を実行する際に、該指令が該情報処理装置に本発明の上記方法を実行させる。
【図面の簡単な説明】
【００１２】
下記図面の詳細の説明を通じて、本発明の実施例の上記の目的、他の目的、特徴及び利点はより明確になる。図面におけるユニットは、単なる本発明の原理を示すものである。図面において、同一又は類似する技術的特徴又はユニットは、同一又は類似する符号で示されている。
【図１】本発明の実施例１に係る裏面透かしの検出方法のフローチャートである。
【図２】本発明の実施例２に係る裏面透かしの検出方法のフローチャートである。
【図３】本発明の実施例１に係る裏面透かしの検出装置の構成を示すブロック図である。
【図４】本発明の実施例２に係る裏面透かしの研修装置の構成を示すブロック図である。
【図５】本発明に係る方法及び装置を実施するためのコンピュータ装置を例示するブロック図である。
【発明を実施するための形態】
【００１３】
以下、図面を参照しながら本発明の例示的な実施例を詳細に説明する。説明の便宜上、明細書には実際の実施形態の全ての特徴が示されていない。なお、実際に実施する際に、開発者の具体的な目標を実現するために、特定の実施形態を変更してもよい、例えばシステム及び業務に関する制限条件に応じて実施形態を変更してもよい。また、開発作業が非常に複雑であり、且つ時間がかかるが、本公開の当業者にとって、この開発作業は単なる例の作業である。
【００１４】
なお、本発明を明確にするために、図面には本発明に密に関連する装置の構成要件又は処理のステップのみが示され、本発明と関係のない細部が省略される。また、本発明の図面又は実施形態に示されている要素及び特徴と他の図面又は実施形態に示されている要素及び特徴とを組み合わせてもよい。
【００１５】
本発明の基本的な思想は、必ず正確な前景画素及び背景画素を決定して、これらの前景画素及び背景画素に基づいてモデル化して、構築されたモデルにより残りの画素の種別を判断することである。この過程では、裏面透かし画素の特徴により、処理対象を最適化することで計算量を低減でき、処理速度を向上できる。
【００１６】
以下は、図１を参照しながら本発明の実施例１に係る裏面透かしの検出方法の流れを説明する。
【００１７】
図１は、本発明の実施例１に係る裏面透かしの検出方法のフローチャートである。図１に示すように、本発明の実施例１に係る裏面透かしの検出方法は、位置合わせされた両面画像対における表面画像及び裏面画像を取得し、該表面画像における各第１の点、及び該裏面画像における該第１の点に対応する第２の点により構成された画素対を取得するステップ（ステップＳ１）と、該表面画像及び該裏面画像における一部の前景画素及び一部の背景画素を決定するステップ（ステップＳ２）と、決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成するステップ（ステップＳ３）と、モデル化されていない画素対について、該画素対の所定の特徴に基づいて、該画素対と前記４つのモデルとの類似度をそれぞれ計算し、該画素対の種別を決定するステップ（ステップＳ４）と、前景画素として決定された第１の点に対応する、背景画素として決定された第２の点を、該裏面画像における裏面透かしとして判定し、前景画素として決定された第２の点に対応する、背景画素として決定された第１の点を、該表面画像における裏面透かしとして判定するステップ（ステップＳ５）と、を含む。
【００１８】
ステップＳ１において、位置合わせされた表面画像及び裏面画像を取得する。該表面画像における各第１の点について、それに対応する該裏面画像における第２の点が既知であるため、該第１の点及びそれに対応する該第２の点により構成された画素対が取得された。
【００１９】
上述したように、本発明の処理される対象は、表面及び裏面を有する両面文書である。このため、正面画像及び裏面画像により構成された両面画像対が入力され、表面画像と裏面画像とは互いに反面（裏面）となる。
【００２０】
表面画像では、文字などの内容は前景画素であり、他の画素は背景画素である。同様に、裏面画像では、文字などの内容は前景画素であり、他の画素は背景画素である。裏面画像の前景画素が表面画像から透けて見えており、且つ表面画像の前景画素と重なっていない場合は、このような画素は裏面画像の前景画素が表面画像に透かした裏面透かしである。表面画像の前景画素が裏面画像から透けて見えており、且つ裏面画像の前景画素と重なっていない場合は、このような画素は表面画像の前景画素が裏面画像に透かした裏面透かしである。
【００２１】
なお、裏面画像の前景画素が表面画像から透けて見えており、且つ表面画像の前景画素と重なっている場合は、このような画素は表面画像の前景画素であり、表面画像における裏面透かしではない。同様に、表面画像の前景画素が裏面画像から透けて見えており、且つ裏面画像の前景画素と重なっている場合は、このような画素は裏面画像の前景画素であり、裏面画像における裏面透かしではない。
【００２２】
従って、表面画像における裏面透かし画素は、表面画像及び裏面画像における対応する２つの点により決定される。即ち、表面画像における第１の点が背景画素であり、且つ第１の点に対応する裏面画像における第２の点が前景画素である場合は、表面画像における該第１の点は、裏面画像の前景画素が表面画像に透かした裏面透かし画素である。
【００２３】
説明の便宜上、以下は、表面画像における点を「第１の点」と称し、裏面画像における点を「第２の点」と称する。
【００２４】
画素が裏面透かし画素であるか否かを判断するために、まず表面画像における第１の点と裏面画像における第２の点との対応関係を判断する必要がある。
【００２５】
従って、ステップＳ１において、例えばＤｕｂｏｉｓ及びＰａｔｈａｋ等の大局的アフィン変換(GAT：Global Affine Transformation)方法により、表面画像における各第１の点についてそれに対応する裏面画像における第２の点が既知であるように、表面画像と裏面画像を位置合わせて、第１の点及びそれに対応する第２の点により構成された画素対を取得してもよい。
【００２６】
以下は、第１の点及び対応する第２の点により構成された画素対を処理する。
【００２７】
ステップＳ２において、該表面画像及び該裏面画像における一部の前景画素及び一部の背景画素を決定する。
【００２８】
上述したように、本発明の思想は、一部のシード画素を決定して、シード画素の特徴に基づいて、他の画素の種別を決定する。よって、ステップＳ２において、まず、種別を決定可能な一部の画素を抽出する。
【００２９】
ステップＳ２は多種多様な方法により実施することができる。
【００３０】
例えば、各第１の点の画素値と所定の第１の前景閾値又は第１の背景閾値との大小関係に基づいて、該第１の点の画素種別を決定してもよい。各第２の点の画素値と所定の第２の前景閾値又は第２の背景閾値との大小関係に基づいて、該第２の点の画素種別を決定してもよい。
【００３１】
具体的には、第１の点の画素値が第１の前景閾値よりも小さい場合は、第１の点が表面画像の前景画素であると決定する。また、第１の点の画素値が第１の背景閾値よりも大きい場合は、第１の点が表面画像の背景画素であると決定する。
【００３２】
同様に、第２の点の画素値が第２の前景閾値よりも小さい場合は、第２の点が裏面画像の前景画素であると決定する。また、第２の点の画素値が第２の背景閾値よりも大きい場合は、第２の点が裏面画像の背景画素であると決定する。
【００３３】
ステップＳ２の判断の正確性を確保するように、第１及び第２の前景閾値を小さく設定し、第１及び第２の背景閾値を大きく設定してもよい。
【００３４】
モデル化の要求を満足するように、第１及び第２の前景閾値、第１及び第２の背景閾値の大きさを調整することで、ステップＳ２において抽出された画素の数を調整してもよい。
【００３５】
当業者は本分野の知識及び実際状況の必要に応じて、適切な第１及び第２の前景閾値、並びに第１及び第２の背景閾値を設定できる。
【００３６】
ステップＳ２の他の実現方法は、例えば、各第１の点の画素値と対応する第２の点の画素値との大小関係に基づいて、該表面画像及び該裏面画像における一部の前景画素及び一部の背景画素を決定する。
【００３７】
これは、裏面透かし画素の特徴として、１つの面の裏面透かし画素がそれを生じる他の面の前景画素よりも薄い、即ち画素値が大きいからである。よって、一対の第１の点と第２の点を比較することで、第１の点と第２の点との差異が大きい画素を、裏面透かし画素とそれを生じる前景画素として決定する。
【００３８】
具体的には、該第１の点の画素値と対応する第２の点の画素値との商を、所定の第３の閾値及び第４の閾値と比較してもよく、該第３の閾値が１よりも小さく、該第４の閾値が１よりも大きい。該商が該第３の閾値よりも小さい場合、該第１の点が該表面画像における前景画素であり、該第２の点が該裏面画像における背景画素であると決定する。該商が該第４の閾値よりも大きい場合、該第２の点が該裏面画像における前景画素であり、該第１の点が該表面画像における背景画素であると決定する。
【００３９】
例えば、第３の閾値は０．５であってもよく、第４の閾値は２．０であってもよい。本発明はこれに限定されない。
【００４０】
なお、ステップＳ２においては上記２つの方法を組み合わせて用いてもよい。例えば、方法１により一部の背景画素を抽出し、方法２により一部の前景画素を抽出する。
【００４１】
次に、ステップＳ２において決定された表面画像及び裏面画像における前景画素及び背景画素について、分類用モデルを構築する（モデル化）。
【００４２】
ステップＳ３において、ステップＳ２の決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成する。
【００４３】
ここで、モデル化の方法は、如何なる適切な既知方法を用いてもよく、特に限定されない。モデル化の方法は、４種類の画素対の特徴に基づいて４種類の画素対の特徴を示すモデルを構築し、それぞれの特徴を比較することで他の画素が４種類の画素対のうちのどのグループの画素対と最も類似するかを判断できればよい。
【００４４】
モデル化に用いられる特徴は、画素対の画素値であってもよいし、他の適切な特徴であってもよい。
【００４５】
４種類の画素対に基づいて４つのモデルを構築した上で、モデルにより、決定される画素対の種別を判断してもよい。
【００４６】
ステップＳ４において、モデル化されていない画素対について、該画素対の所定の特徴に基づいて、該画素対と前記４つのモデルとの類似度をそれぞれ計算し、該画素対の種別を決定する。
【００４７】
具体的には、該４つのモデルの平均画素値の対及び分散をそれぞれ計算し、該４つのモデルの平均画素値の対及び分散、並びに該画素対の画素値に基づいて、該画素対と該４つのモデルとの距離をそれぞれ計算し、距離が最も小さいモデルの画素対の種別を該画素対の種別として決定してもよい。
【００４８】
平均画素値の対とは、１つのモデルの全ての画素対（第１の点と第２の点により構成された対）における各画素（第１の点又は第２の点）の画素値の平均値の対を指す。即ち、１つのモデルにおける全ての第１の点の画素値の平均値を取り、全ての第２の点の画素値の平均値を取り、取られた平均値の結果が平均画素値の対を構成する。
【００４９】
距離は、ｍａｈａｌａｎｏｂｉｓ距離などの適切な距離であってもよい。本発明はこれに限定されない。
【００５０】
当業者にとって、画素対との距離が最も小さいモデルが画素対に最も類似するモデルであることは自明である。よって、該画素対の種別と該モデルの画素対の種別とが一致すると決定してもよい。
【００５１】
上記のステップＳ１〜Ｓ４により、全ての画素対を分類し、各画素対が（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対に属する。
【００５２】
このように、上記の判断結果により、ステップＳ５において、種類（３）、（４）の画素対を、裏面透かし画素を含む画素対として選択して、その中から裏面透かし画素をさらに抽出してもよい。
【００５３】
具体的には、ステップＳ５において、前景画素として決定された第１の点に対応する、背景画素として決定された第２の点を、該裏面画像における裏面透かしとして判定し、前景画素として決定された第２の点に対応する、背景画素として決定された第１の点を、該表面画像における裏面透かしとして判定する。
【００５４】
このように、ステップＳ１〜Ｓ５により、表面画像及び裏面画像により構成された両面画像対における裏面透かし画素の位置が検出された。
【００５５】
なお、両面画像対に含まれる該表面画像及び該裏面画像はグレースケール画像であってもよく、該画素値はグレースケール値であってもよい。
【００５６】
また、両面画像対に含まれる該表面画像及び該裏面画像はカラー画像であってもよく、該画素値は各チャネルの値であってもよい。
【００５７】
また、ステップＳ１〜Ｓ４の判断結果に基づいて、前景画素として決定された第１の点を、該表面画像における前景として判定し、前景画素として決定された第２の点を、該裏面画像における前景として判定してもよい。
【００５８】
即ち、本発明の副産物として、該両面画像対に含まれる該表面画像及び該裏面画像における前景画素の位置をさらに判断できる。
【００５９】
本発明の実施例１に係る裏面透かしの検出方法では、ステップＳ４において、モデル化されていない画素対について、該画素対の所定の特徴に基づいて、該画素対と該４つのモデルとの類似度をそれぞれ計算し、該画素対の種別を決定する。
【００６０】
本発明の実施例２に係る裏面透かしの検出方法では、ステップＳ４の処理対象の数を低減できる。これは、実施例１では全てのモデル化されていない画素対について処理するからである。実際には、本発明の目的は裏面透かし画素を検出することにあり、裏面透かし画素が全て前景画素から透かしたものであるため、全ての前景画素を検出して、それに対応する裏面の点が裏面の背景画素であるか否かを判断すればよい。
【００６１】
図２は、本発明の実施例２に係る裏面透かしの検出方法のフローチャートである。
【００６２】
図２に示すように、本発明の実施例２に係る裏面透かしの検出方法は、位置合わせされた両面画像対における表面画像及び裏面画像を取得し、該表面画像における各第１の点、及び該裏面画像における該第１の点に対応する第２の点により構成された画素対を取得するステップ（ステップＳ１）と、該表面画像及び該裏面画像における一部の前景画素及び一部の背景画素を決定するステップ（ステップＳ２）と、該表面画像及び該裏面画像における候補前景画素を決定するステップ（ステップＳ２’）と、ステップＳ２の決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成するステップ（ステップＳ３）と、該候補前景画素のうち、該一部の前景画素以外の画素が属する画素対について、該画素対の所定の特徴に基づいて、該画素対と該４つのモデルとの類似度をそれぞれ計算し、該画素対の種別を決定するステップ（ステップＳ４’）と、前景画素として決定された第１の点に対応する、背景画素として決定された第２の点を、該裏面画像における裏面透かしとして判定し、前景画素として決定された第２の点に対応する、背景画素として決定された第１の点を、該表面画像における裏面透かしとして判定するステップ（ステップＳ５）と、を含む。
【００６３】
本発明の実施例２におけるステップＳ１、Ｓ２、Ｓ３、Ｓ５は、本発明の実施例１におけるステップＳ１、Ｓ２、Ｓ３、Ｓ５と同じであり、同一の符号を用いてその説明を省略する。
【００６４】
以下は、本発明の実施例２と本発明の実施例１との相違点を説明する。
【００６５】
本発明の実施例２では、ステップＳ２の後で、ステップＳ２’が追加された。
【００６６】
ステップＳ２’において、該表面画像及び該裏面画像における候補前景画素を決定する。
【００６７】
具体的には、上記の第１及び第２の背景閾値により、該表面画像及び該裏面画像における候補前景画素を判断してもよい。
【００６８】
該第１の点の画素値が所定の第１の背景閾値以下である場合、該第１の点が該表面画像における候補前景画素であると決定する。該第２の点の画素値が所定の第２の背景閾値以下である場合、該第２の点が該裏面画像における候補前景画素であると決定する。
【００６９】
このように、ステップＳ２’において判断された候補前景画素は、前景画素である可能性がある全ての画素を含み、前のステップＳ２において該表面画像及び該裏面画像における一部の前景画素として決定された画素を含む。
【００７０】
よって、該候補前景画素のうち、該一部の前景画素以外の画素が属する画素対を再判断する必要がある。
【００７１】
ステップＳ４’（実施例１のステップＳ４に対応する）において、該候補前景画素のうち、該一部の前景画素以外の画素が属する画素対について、該画素対の所定の特徴に基づいて、該画素対と該４つのモデルとの類似度をそれぞれ計算し、該画素対の種別を決定する。
【００７２】
このように、ステップＳ１〜Ｓ４’により、全ての前景画素を抽出でき、これらの前景画素に対応する裏面の点の種別を判断できる。ステップＳ５において、それに応じて、全ての裏面透かし画素を抽出できる。
【００７３】
実施例２に係る裏面透かしの検出方法は、実施例１に比べて、検出率に影響を及ぼすことなく、計算量をある程度低減できる。
【００７４】
以下は、図３を参照しながら本発明の実施例１に係る裏面透かしの検出装置を説明する。
【００７５】
図３は、本発明の実施例１に係る裏面透かしの検出装置の構成を示すブロック図である。図３に示すように、本発明の実施例１に係る裏面透かしの検出装置３００は、位置合わせされた両面画像対における表面画像及び裏面画像を取得し、該表面画像における各第１の点、及び該裏面画像における該第１の点に対応する第２の点により構成された画素対を取得する取得部３１と、該表面画像及び該裏面画像における一部の前景画素及び一部の背景画素を決定する一部画素決定部３２と、該一部画素決定部３２の決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成するモデル化部３３と、モデル化されていない画素対について、該画素対の所定の特徴に基づいて、該画素対と該４つのモデルとの類似度をそれぞれ計算し、該画素対の種別を決定する種別決定部３４と、前景画素として決定された第１の点に対応する、背景画素として決定された第２の点を、該裏面画像における裏面透かしとして判定し、前景画素として決定された第２の点に対応する、背景画素として決定された第１の点を、該表面画像における裏面透かしとして判定する判定部３５と、を含む。
【００７６】
１つの例では、一部画素決定部３２は、各第１の点の画素値と所定の第１の前景閾値との大小関係に基づいて、該表面画像における一部の前景画素を決定し、各第２の点の画素値と所定の第２の前景閾値との大小関係に基づいて、該裏面画像における一部の前景画素を決定し、各第１の点の画素値と所定の第１の背景閾値との大小関係に基づいて、該表面画像における一部の背景画素を決定し、各第２の点の画素値と所定の第２の背景閾値との大小関係に基づいて、該裏面画像における一部の背景画素を決定する閾値判断部を含む。
【００７７】
１つの例では、一部画素決定部３２は、各第１の点の画素値と対応する第２の点の画素値との大小関係に基づいて、該表面画像及び該裏面画像における一部の前景画素及び一部の背景画素を決定する表裏比較部を含む。
【００７８】
１つの例では、表裏比較部は、該第１の点の画素値と対応する第２の点の画素値との商を、所定の第３の閾値及び第４の閾値と比較し、該商が該第３の閾値よりも小さい場合、該第１の点が該表面画像における前景画素であり、該第２の点が該裏面画像における背景画素であると判定し、該商が該第４の閾値よりも大きい場合、該第２の点が該裏面画像における前景画素であり、該第１の点が該表面画像における背景画素であると判定し、該第３の閾値が１よりも小さく、該第４の閾値が１よりも大きい。
【００７９】
１つの例では、種別決定部３４は、該４つのモデルの平均画素値の対及び分散をそれぞれ計算し、該４つのモデルの平均画素値の対及び分散、並びに該画素対の画素値に基づいて、該画素対と前記４つのモデルとの距離をそれぞれ計算し、距離が最も小さいモデルの画素対の種別を該画素対の種別として決定する。
【００８０】
１つの例では、該両面画像対に含まれる該表面画像及び該裏面画像はグレースケール画像であり、該画素値はグレースケール値である。
【００８１】
１つの例では、該両面画像対に含まれる該表面画像及び該裏面画像はカラー画像であり、該画素値は各チャネルの値である。
【００８２】
１つの例では、判定部３５は、前景画素として決定された第１の点を、該表面画像における前景として判定し、前景画素として決定された第２の点を、該裏面画像における前景として判定する。
【００８３】
以下は、図４を参照しながら本発明の実施例２に係る裏面透かしの検出装置を説明する。
【００８４】
図４は、本発明の実施例２に係る裏面透かしの研修装置の構成を示すブロック図である。図４に示すように、本発明の実施例２に係る裏面透かしの検出装置４００は、位置合わせされた両面画像対における表面画像及び裏面画像を取得し、該表面画像における各第１の点、及び該裏面画像における該第１の点に対応する第２の点により構成された画素対を取得する取得部３１と、該表面画像及び該裏面画像における一部の前景画素及び一部の背景画素を決定する一部画素決定部３２と、該表面画像及び該裏面画像における候補前景画素を決定する候補前景決定部４０と、一部画素決定部３２の決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成するモデル化部３３と、該候補前景画素のうち、該一部の前景画素以外の画素が属する画素対について、該画素対の所定の特徴に基づいて、該画素対と該４つのモデルとの類似度をそれぞれ計算し、該画素対の種別を決定する種別決定部４４と、前景画素として決定された第１の点に対応する、背景画素として決定された第２の点を、該裏面画像における裏面透かしとして判定し、前景画素として決定された第２の点に対応する、背景画素として決定された第１の点を、該表面画像における裏面透かしとして判定する判定部３５と、を含む。
【００８５】
１つの実施例では、候補前景決定部４０は、該第１の点の画素値が所定の第１の背景閾値以下である場合、該第１の点が該表面画像における候補前景画素であると決定し、該第２の点の画素値が所定の第２の背景閾値以下である場合、該第２の点が該裏面画像における候補前景画素であると決定する。
【００８６】
本発明に係る裏面透かしの検出装置に含まれる各手段、各部の処理は、上述した裏面透かしの検出方法に含まれる各ステップの処理と類似するため、説明の便宜上、これらの手段及び各部の詳細な説明を省略する。
【００８７】
なお、上記コンピュータにおける各構成要件、ユニットはソフトウェア、ファームウェア、ハードウェア又はそれらの組み合わせにより実現されてもよい。ソフトウェア又はファームウェアにより実施されている場合、記録媒体又はネットワークから専用のハードウェア構成を有するコンピュータ（例えば図５示されている汎用コンピュータ５００）に上記方法を実施するためのソフトウェアを構成するプログラムをインストールしてもよく、該コンピュータは各種のプログラムがインストールされている場合は各種の機能などを実行できる。
【００８８】
図５は、本発明に係る方法及び装置を実施するためのコンピュータ装置を例示するブロック図である。
【００８９】
図５において、中央処理部（即ちＣＰＵ）５０１は、読み出し専用メモリ（ＲＯＭ）５０２に記憶されているプログラム、又は記憶部５０８からランダムアクセスメモリ（ＲＡＭ）５０３にロードされたプログラムにより各種の処理を実行する。ＲＡＭ５０３には、必要に応じて、ＣＰＵ５０１が各種の処理を実行するに必要なデータが記憶されている。ＣＰＵ５０１、ＲＯＭ５０２、及びＲＡＭ５０３は、バス５０４を介して互いに接続されている。入力／出力インターフェース５０５もバス５０４に接続されている。
【００９０】
入力部５０６（キーボード、マウスなどを含む）、出力部５０７（ディスプレイ、例えばブラウン管（ＣＲＴ）、液晶ディスプレイ（ＬＣＤ）など、及びスピーカなどを含む）、記憶部５０８（例えばハードディスクなどを含む）、通信部５０９（例えばネットワークのインタフェースカード、例えばＬＡＮカード、モデムなどを含む）は、入力／出力インターフェース５０５に接続されている。通信部５０９は、ネットワーク、例えばインターネットを介して通信処理を実行する。必要に応じて、ドライブ部５１０は、入力／出力インターフェース５０５に接続されてもよい。取り外し可能な媒体５１１は、例えば磁気ディスク、光ディスク、光磁気ディスク、半導体メモリなどであり、必要に応じてドライブ部５１０にセットアップされて、その中から読みだされたコンピュータプログラムは必要に応じて記憶部５０８にインストールされている。
【００９１】
ソフトウェアにより上記処理を実施する場合、ネットワーク、例えばインターネット、又は記憶媒体、例えば取り外し可能な媒体５１１を介してソフトウェアを構成するプログラムをインストールする。
【００９２】
また、これらの記憶媒体は、図５に示されている、プログラムを記憶し、機器と分離してユーザへプログラムを提供する取り外し可能な媒体５１１に限定されない。取り外し可能な媒体５１１は、例えば磁気ディスク（フロッピー（登録商標）ディスクを含む）、光ディスク（光ディスク−読み出し専用メモリ（ＣＤＲＯＭ）、及びデジタル多目的ディスク（ＤＶＤ）を含む）、光磁気ディスク（ミニディスク（ＭＤ）（登録商標））及び半導体メモリを含む。或いは、記憶媒体は、ＲＯＭ５０２、記憶部５０８に含まれるハードディスクなどであってもよく、プログラムを記憶し、それらを含む機器と共にユーザへ提供される。
【００９３】
本発明は、機器に読み取り可能な指令コードを記憶するプログラムプロダクトをさらに提供する。該指令コードは機器により読み出されて、上述した本発明の実施例に係る方法を実行できる。
【００９４】
それに応じて、本発明は、機器読み取り可能な指令コードを記憶するプログラムのプロダクトが記録されている記憶媒体をさらに含む。該記憶媒体は、フロッピーディスク、光ディスク、光磁気ディスク、メモリカード、メモリスティックを含むが、これらに限定されない。
【００９５】
１つの実施形態について記載および/または図示した特徴は同一または類似の方法で１つまたは複数の他の実施形態で使用することができ、また、その他の実施形態の中の特徴と組合せ、または他の実施形態の特徴を代替することもできる。
【００９６】
なお、用語「包括／含む」は、本文に使用される際に、特徴、要素、ステップ又は構成要件の存在を意味し、一つ又は複数の他の特徴、要素、ステップ又は構成要件の存在又は追加を排除するものではない。
【００９７】
また、本発明の方法は、明細書に説明された時間順で行なわれることに限らず、他の時間順で、又は並行して、又は単独で実行することもできる。従って、本発明の技術的範囲は、明細書に記載の方法の実行順番に限定されない。
【００９８】
本発明の特定の実施形態は、後述の説明及び図面に示すように、詳細に開示され、本発明の原理を採用されることが可能な方式を示している。なお、本発明の実施形態は、範囲上には限定されるものではない。本発明の実施形態は、添付されている特許請求の範囲の主旨及び内容の範囲内、各種の改変、修正、及び均等的なものが含まれる。
【００９９】
また、上述の各実施例を含む実施形態に関し、更に以下の付記を開示する。
【０１００】
（付記１）
位置合わせされた両面画像対における表面画像及び裏面画像を取得し、前記表面画像における各第１の点、及び前記裏面画像における前記第１の点に対応する第２の点により構成された画素対を取得するステップと、
前記表面画像及び前記裏面画像における一部の前景画素及び一部の背景画素を決定するステップと、
決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成するステップと、
モデル化されていない画素対について、該画素対の所定の特徴に基づいて、該画素対と前記４つのモデルとの類似度をそれぞれ計算し、該画素対の種別を決定するステップと、
前景画素として決定された第１の点に対応する、背景画素として決定された第２の点を、前記裏面画像における裏面透かしとして判定し、前景画素として決定された第２の点に対応する、背景画素として決定された第１の点を、前記表面画像における裏面透かしとして判定するステップと、を含む、裏面透かしの検出方法。
【０１０１】
（付記２）
前記表面画像及び前記裏面画像における一部の前景画素及び一部の背景画素を決定するステップは、
各第１の点の画素値と所定の第１の前景閾値との大小関係に基づいて、前記表面画像における一部の前景画素を決定するステップと、
各第２の点の画素値と所定の第２の前景閾値との大小関係に基づいて、前記裏面画像における一部の前景画素を決定するステップと、
各第１の点の画素値と所定の第１の背景閾値との大小関係に基づいて、前記表面画像における一部の背景画素を決定するステップと、
各第２の点の画素値と所定の第２の背景閾値との大小関係に基づいて、前記裏面画像における一部の背景画素を決定するステップと、を含む、付記１に記載の裏面透かしの検出方法。
【０１０２】
（付記３）
前記表面画像及び前記裏面画像における一部の前景画素及び一部の背景画素を決定するステップは、
各第１の点の画素値と対応する第２の点の画素値との大小関係に基づいて、前記表面画像及び前記裏面画像における一部の前景画素及び一部の背景画素を決定するステップを含む、付記１又は２に記載の裏面透かしの検出方法。
【０１０３】
（付記４）
各第１の点の画素値と対応する第２の点の画素値との大小関係に基づいて、前記表面画像及び前記裏面画像における一部の前景画素及び一部の背景画素を決定するステップは、
前記第１の点の画素値と対応する第２の点の画素値との商を、所定の第３の閾値及び第４の閾値と比較するステップと、
前記商が前記第３の閾値よりも小さい場合、前記第１の点が前記表面画像における前景画素であり、前記第２の点が前記裏面画像における背景画素であると決定するステップと、
前記商が前記第４の閾値よりも大きい場合、前記第２の点が前記裏面画像における前景画素であり、前記第１の点が前記表面画像における背景画素であると決定するステップと、を含み、
前記第３の閾値が１よりも小さく、前記第４の閾値が１よりも大きい、付記３に記載の裏面透かしの検出方法。
【０１０４】
（付記５）
前記表面画像及び前記裏面画像における候補前景画素を決定するステップをさらに含み、
前記モデル化されていない画素対は、前記候補前景画素のうち、前記一部の前景画素以外の画素が属する画素対を含む、付記１に記載の裏面透かしの検出方法。
【０１０５】
（付記６）
前記表面画像及び前記裏面画像における候補前景画素を決定するステップは、
前記第１の点の画素値が所定の第１の背景閾値以下である場合、前記第１の点が前記表面画像における候補前景画素であると決定するステップと、
前記第２の点の画素値が所定の第２の背景閾値以下である場合、前記第２の点が前記裏面画像における候補前景画素であると決定するステップと、を含む、付記５に記載の裏面透かしの検出方法。
【０１０６】
（付記７）
前記モデル化されていない画素対について、該画素対の所定の特徴に基づいて、該画素対と前記４つのモデルとの類似度をそれぞれ計算し、該画素対の種別を決定するステップは、
前記４つのモデルの平均画素値の対及び分散をそれぞれ計算するステップと、
前記４つのモデルの平均画素値の対及び分散、並びに該画素対の画素値に基づいて、該画素対と前記４つのモデルとの距離をそれぞれ計算するステップと、
距離が最も小さいモデルの画素対の種別を前記画素対の種別として決定するステップと、を含む、付記１に記載の裏面透かしの検出方法。
【０１０７】
（付記８）
前記両面画像対に含まれる前記表面画像及び前記裏面画像はグレースケール画像であり、前記画素値はグレースケール値である、付記１に記載の裏面透かしの検出方法。
【０１０８】
（付記９）
前記両面画像対に含まれる前記表面画像及び前記裏面画像はカラー画像であり、前記画素値は各チャネルの値である、付記１に記載の裏面透かしの検出方法。
【０１０９】
（付記１０）
前景画素として決定された第１の点を、前記表面画像における前景として判定し、前景画素として決定された第２の点を、前記裏面画像における前景として判定するステップをさらに含む、付記１に記載の裏面透かしの検出方法。
【０１１０】
（付記１１）
位置合わせされた両面画像対における表面画像及び裏面画像を取得し、前記表面画像における各第１の点、及び前記裏面画像における前記第１の点に対応する第２の点により構成された画素対を取得する取得手段と、
前記表面画像及び前記裏面画像における一部の前景画素及び一部の背景画素を決定する一部画素決定手段と、
前記一部画素決定手段の決定結果に基づいて、（１）第１の点及び第２の点が共に前景画素であること、（２）第１の点及び第２の点が共に背景画素であること、（３）第１の点が前景画素であり、且つ第２の点が背景画素であること、及び（４）第１の点が背景画素であり、且つ第２の点が前景画素であること、という４種類の画素対について、所定の特徴に基づいてモデル化し、４つのモデルを形成するモデル化手段と、
モデル化されていない画素対について、該画素対の所定の特徴に基づいて、該画素対と前記４つのモデルとの類似度をそれぞれ計算し、該画素対の種別を決定する種別決定手段と、
前景画素として決定された第１の点に対応する、背景画素として決定された第２の点を、前記裏面画像における裏面透かしとして判定し、前景画素として決定された第２の点に対応する、背景画素として決定された第１の点を、前記表面画像における裏面透かしとして判定する判定手段と、を含む、裏面透かしの検出装置。
【０１１１】
（付記１２）
前記一部画素決定手段は、
各第１の点の画素値と所定の第１の前景閾値との大小関係に基づいて、前記表面画像における一部の前景画素を決定し、
各第２の点の画素値と所定の第２の前景閾値との大小関係に基づいて、前記裏面画像における一部の前景画素を決定し、
各第１の点の画素値と所定の第１の背景閾値との大小関係に基づいて、前記表面画像における一部の背景画素を決定し、
各第２の点の画素値と所定の第２の背景閾値との大小関係に基づいて、前記裏面画像における一部の背景画素を決定する閾値判断手段を含む、付記１１に記載の裏面透かしの検出装置。
【０１１２】
（付記１３）
前記一部画素決定手段は、
各第１の点の画素値と対応する第２の点の画素値との大小関係に基づいて、前記表面画像及び前記裏面画像における一部の前景画素及び一部の背景画素を決定する表裏比較手段を含む、付記１１又は１２に記載の裏面透かしの検出装置。
【０１１３】
（付記１４）
前記表裏比較手段は、
前記第１の点の画素値と対応する第２の点の画素値との商を、所定の第３の閾値及び第４の閾値と比較し、
前記商が前記第３の閾値よりも小さい場合、前記第１の点が前記表面画像における前景画素であり、前記第２の点が前記裏面画像における背景画素であると判定し、
前記商が前記第４の閾値よりも大きい場合、前記第２の点が前記裏面画像における前景画素であり、前記第１の点が前記表面画像における背景画素であると判定し、
前記第３の閾値が１よりも小さく、前記第４の閾値が１よりも大きい、付記１３に記載の裏面透かしの検出装置。
【０１１４】
（付記１５）
前記表面画像及び前記裏面画像における候補前景画素を決定する候補前景決定手段をさらに含み、
前記モデル化されていない画素対は、前記候補前景画素のうち、前記一部の前景画素以外の画素が属する画素対を含む、付記１１に記載の裏面透かしの検出装置。
【０１１５】
（付記１６）
前記候補前景決定手段は、
前記第１の点の画素値が所定の第１の背景閾値以下である場合、前記第１の点が前記表面画像における候補前景画素であると決定し、
前記第２の点の画素値が所定の第２の背景閾値以下である場合、前記第２の点が前記裏面画像における候補前景画素であると決定する、付記１５に記載の裏面透かしの検出装置。
【０１１６】
（付記１７）
前記種別決定手段は、
前記４つのモデルの平均画素値の対及び分散をそれぞれ計算し、
前記４つのモデルの平均画素値の対及び分散、並びに該画素対の画素値に基づいて、該画素対と前記４つのモデルとの距離をそれぞれ計算し、
距離が最も小さいモデルの画素対の種別を前記画素対の種別として決定する、付記１１に記載の裏面透かしの検出装置。
【０１１７】
（付記１８）
前記両面画像対に含まれる前記表面画像及び前記裏面画像はグレースケール画像であり、前記画素値はグレースケール値である、付記１１に記載の裏面透かしの検出装置。
【０１１８】
（付記１９）
前記両面画像対に含まれる前記表面画像及び前記裏面画像はカラー画像であり、前記画素値は各チャネルの値である、付記１１に記載の裏面透かしの検出装置。
【０１１９】
（付記２０）
前記判定手段は、前景画素として決定された第１の点を、前記表面画像における前景として判定し、前景画素として決定された第２の点を、前記裏面画像における前景として判定する、付記１１に記載の裏面透かしの検出装置。
【図１】
2015130166.tif 000003
【図２】
2015130166.tif 000004
【図３】
2015130166.tif 000005
【図４】
2015130166.tif 000006
【図５】
2015130166.tif 000007